(57)【要約】    【課題】      放送又はマルチキャストのデータを確実に受信することができる移動通信端末装置及び移動体通信システムを提供すること。    【解決手段】  本発明は、放送又はマルチキャストのデータを受信することができる移動通信端末装置であって、前記放送又はマルチキャストのデータの送信スケジュールを保持するスケジュール保持部１０８１と、隣接する複数のセルの信号の複数の受信レベルを測定して複数の受信レベル測定値を生成する受信レベル測定部１０５と、前記複数の受信レベル測定値を比較して前記受信レベル測定値が高い前記セルに切り替える時において前記送信スケジュールに基づいて前記データが配信されていない時間に前記セルを切り替えるように制御するセル切り替え制御部１０８３と、を具備する。  【選択図】      図１
2007028534.tif 000002
【特許請求の範囲】
【請求項１】
放送又はマルチキャストのデータを受信することができる移動通信端末装置であって、
前記放送又はマルチキャストのデータの送信スケジュールを保持するスケジュール保持手段と、
隣接する複数のセルの信号の複数の受信レベルを測定して複数の受信レベル測定値を生成する受信レベル測定手段と、
前記複数の受信レベル測定値を比較して前記受信レベル測定値が高い前記セルに切り替える時において前記送信スケジュールに基づいて前記データが配信されていない時間に前記セルを切り替えるように制御するセル切り替え制御手段と、
を具備する移動通信端末装置。
【請求項２】
放送又はマルチキャストのデータを受信することができる移動通信端末装置であって、
前記放送又はマルチキャストのデータの送信スケジュールを保持するスケジュール保持手段と、
隣接する複数のセルの信号の複数の受信レベルを測定して複数の受信レベル測定値を生成する受信レベル測定手段と、
前記送信スケジュールに基づいて複数の前記データの優先度を判断してデータ優先度判断結果を生成するデータ優先度判断手段と、
前記複数の受信レベル測定値を比較して前記受信レベル測定値が高い前記セルに切り替える時において前記送信スケジュール及び前記データ優先度判断結果に基づいて前記優先度が低い前記データが配信されている時間に前記セルを切り替えるように制御するセル切り替え制御手段と、
を具備する移動通信端末装置。
【請求項３】
放送又はマルチキャストのデータを受信することができる移動通信端末装置であって、
前記放送又はマルチキャストのデータの送信スケジュールを保持するスケジュール保持手段と、
隣接する複数のセルからの信号の複数の受信レベルを測定して複数の受信レベル測定値を生成する受信レベル測定手段と、
前記送信スケジュールに基づいて複数の前記データの優先度を判断してデータ優先度判断結果を生成するデータ優先度判断手段と、
前記データ優先度判断結果に示される前記優先度が高い場合における閾値を前記優先度が低い場合における閾値より大きいように制御する閾値制御手段と、
前記受信レベル測定値と前記閾値とを比較して前記受信レベル測定値が前記閾値より大きい時に前記セルを切り替えるように制御するセル切り替え制御手段と、
を具備する移動通信端末装置。
【請求項４】
前記データが切れないようにセルを切り替えるタイミングを変更する受信優先モード、又は、前記データが配信されている時でもセルを切り替えるタイミングを変更しない接続優先モードを設定するためのユーザ設定手段を具備する請求項１又は請求項２に記載の移動通信端末装置。
【請求項５】
放送又はマルチキャストのデータを所定の送信スケジュールで送信する基地局と、前記基地局から送信される前記放送又はマルチキャストのデータを受信することができる移動通信端末装置と、を具備する移動通信システムにおいて、
前記移動通信端末装置は、
前記放送又はマルチキャストのデータの送信スケジュールを保持するスケジュール保持手段と、
隣接する複数のセルの信号の複数の受信レベルを測定して複数の受信レベル測定値を生成する受信レベル測定手段と、
前記複数の受信レベル測定値を比較して前記受信レベル測定値が高い前記セルに切り替える時において前記送信スケジュールに基づいて前記データが配信されていない時間に前記セルを切り替えるように制御するセル切り替え制御手段と、を具備し、
前記セル切り替え制御手段は、セルの切り替えを行う時に送信データの送信電力を大きくするための指示をする電力制御信号を生成して前記基地局に報知する電力制御信号報知手段を具備し、
前記基地局は、前記電力制御信号を受けた時に所定の時間だけ前記送信データの前記送信電力を大きくする手段を具備する移動体通信システム。
【請求項６】
放送又はマルチキャストのデータを所定の送信スケジュールで送信する基地局と、前記基地局から送信される前記放送又はマルチキャストのデータを受信することができる移動通信端末装置と、を具備する通信システムにおいて、
前記移動通信端末装置は、前記データの前記送信スケジュールを変更するための送信スケジュール変更要求信号を生成して前記基地局に送信する送信スケジュール変更要求手段を具備し、
前記基地局は、前記送信スケジュール変更要求信号を受けた時に前記送信スケジュールを変更する送信スケジュール変更手段を具備し、
前記移動通信端末装置は、
前記放送又はマルチキャストのデータの前記送信スケジュールを保持するスケジュール保持手段と、
隣接する複数のセルからの信号の複数の受信レベルを測定して複数の受信レベル測定値を生成する受信レベル測定手段と、
前記複数の受信レベル測定値を比較して前記受信レベル測定値が高い前記セルに切り替える時において前記送信スケジュールに基づいて前記データが配信されていない時間に前記セルを切り替えるように制御するセル切り替え制御手段と、
を具備する移動体通信システム。
【請求項７】
放送又はマルチキャストのデータを受信することができる移動通信端末装置を具備する移動体通信システムにおける移動体通信方法であって、
前記放送又はマルチキャストのデータの送信スケジュールを保持するスケジュール保持ステップと、
隣接する複数のセルの信号の複数の受信レベルを測定して複数の受信レベル測定値を生成する受信レベル測定ステップと、
前記複数の受信レベル測定値を比較して前記受信レベル測定値が高い前記セルに切り替える時において前記送信スケジュールに基づいて前記データが配信されていない時間に前記セルを切り替えるように制御するセル切り替え制御ステップと、
を具備する移動体通信方法。
【請求項８】
放送又はマルチキャストのデータを所定の送信スケジュールで送信する基地局と、前記基地局から送信される前記放送又はマルチキャストのデータを受信することができる移動通信端末装置と、を具備する移動通信システムにおける移動体通信方法であって、
前記移動通信端末装置が前記放送又はマルチキャストのデータの送信スケジュールを保持するスケジュール保持ステップと、
前記移動通信端末装置が隣接する複数のセルの信号の複数の受信レベルを測定して複数の受信レベル測定値を生成する受信レベル測定ステップと、
前記複数の受信レベル測定値を比較して前記受信レベル測定値が高い前記セルに切り替える時において前記送信スケジュールに基づいて前記データが配信されていない時間に前記移動通信端末装置が前記セルを切り替えるように制御するセル切り替え制御ステップと、
前記セル切り替え制御手段がセルの切り替えを行う時に送信データの送信電力を大きくするための指示をする電力制御信号を生成して前記基地局に報知する電力制御信号報知ステップと、
前記基地局が前記電力制御信号を受けた時に所定の時間だけ前記送信データの前記送信電力を大きくするステップと、
を具備する移動体通信方法。
【発明の詳細な説明】
【技術分野】
【０００１】
本発明は、ＣＤＭＡ方式を用いる移動通信端末装置及び移動体通信システムに関わるものであり、特にマルチメディアブロードキャストマルチキャストサービス（ＭＢＭＳ：Multimedia Broadcast/Multicast Service）に対応した移動通信端末装置及び移動体通信システムに関するものである。
【背景技術】
【０００２】
符号分割多元接続（ＣＤＭＡ）方式を用いた移動通信システムとしてＷ−ＣＤＭＡシステムが知られている。Ｗ−ＣＤＭＡシステムでは、音声のみならず画像などのマルチメディアデータを伝送することが可能となっている。また、マルチメディアデータを多数のユーザに同時に配信するルチメディアブロードキャストマルチキャストサービス（以下、ＭＢＭＳ：Multimedia Broadcast/Multicast Service）が提案されている（例えば非特許文献１参照）。
【０００３】
以下に、従来の移動通信システムにおける移動通信端末装置のＭＢＭＳのデータ（マルチキャストのデータ）の受信の動作について図面を用いて説明する。
【０００４】
図２２は、従来の移動体通信システムの構成を示すブロック図である。図２２に示すように、従来の移動体通信システムは、移動通信端末装置１０及び基地局３０を具備している。
【０００５】
移動通信端末装置１０は、アンテナ１１、送受切り替え部１２、受信無線部１３、受信制御部１４、受信レベル測定部１５、通信制御部１６、セルテーブル１７、セル切り替え制御部１８、送信データ生成部１９、送信制御部２０及び送信無線部２１を具備している。
【０００６】
アンテナ１１は、基地局３０からの無線のデータ（信号）を受けて受信信号を生成して送受切り替え部１２を介して受信無線部１３に与える。また、アンテナ１１は、送信無線部２１からの送信信号を送受切り替え部１２を介して受けて無線の送信信号を生成して送信する。送受切り替え部１２は、送信信号と受信信号との切り替えを行う。受信無線部１３は、アンテナ１１からの受信信号を送受切り替え部１２を介して受けて受信信号に無線処理を行う。
【０００７】
受信制御部１４は、受信信号を制御する。受信レベル測定部１５は、受信信号のレベルを測定する。セルテーブル１７は、ＭＢＭＳ情報を保持する。セル切り替え制御部１８は、複数のセルからの信号の受信レベル及びセルテーブル１７のＭＢＭＳ情報に基づいてセルの切り替えを制御する。
【０００８】
通信制御部１６は、受信制御部１４及び送信制御部２０を制御してデータの送受信の制御をする。送信データ生成部１９は、送信データを生成して送信制御部２０に与える。送信制御部２０は、送信データ生成部１９からの送信データを送信無線部２１に与える。送信無線部２１は、送信制御部２０からの送信データに無線処理を行って送信信号を生成して送受切り替え部１２を介してアンテナ１１に与える。アンテナ１１は、送信無線部２１からのデータを送受切り替え部１２を介して受けて無線の送信信号を生成して基地局３０に送信する。
【０００９】
このように、ＭＢＭＳに対応した移動通信端末装置１０において、セル切り替え制御部１８は、現在通信を行なっているセルの信号の受信レベルと周辺のセルの信号の受信レベルの比較して得る受信レベル比較結果、及び、周辺のＭＢＭＳの情報を用いて、現在通信を行っているセルから他のセルへ切り替えを行う制御をする。  
【非特許文献１】3GPP TS 23.246、 22.246、 25.346
【発明の開示】
【発明が解決しようとする課題】
【００１０】
しかしながら、従来の移動通信端末装置においては、現在通信を行なっているセルから他のセルに切り替わった時に、ＭＢＭＳのデータの受信データの欠落が生じる可能性があるという問題がある。
【００１１】
次に、この問題について、詳細に説明する。
【００１２】
図２３は、従来の移動通信端末装置におけるＭＢＭＳデータの受信とセル切り替えの様子を説明するための図である。現在、セルＡからＭＢＭＳのデータを受信しており、セルＡ及びセルＢの信号の受信レベルを測定した結果、セルＢの受信レベルが比較的高く、セルＢにセル切り替えが行なわれるとする。
【００１３】
この場合に、セルの切り替え時間によって、また、２つのセルのデータの送信タイミング及び受信タイミングの違いから、データの欠落がおこる可能性がある。図２３の例では、セルＡからセルＢに切り替えが行われる際、データ”５”が欠落している。
【００１４】
このように必要なデータを受信している場合においても、セル切り替えが行なわれると、切り替わったタイミングのデータが欠落し、必要なデータを取得することができない可能性がある。
【００１５】
本発明は、かかる点に鑑みてなされたものであり、放送又はマルチキャストのデータを確実に受信することができる移動通信端末装置及び移動体通信システムを提供することを目的とする。また、本発明は、放送又はマルチキャストのデータのうちの必要であるデータを優先的に取得することができる移動通信端末装置及び移動体通信システムを提供することを目的とする。
【課題を解決するための手段】
【００１６】
本発明の第１のものは、放送又はマルチキャストのデータを受信することができる移動通信端末装置であって、前記放送又はマルチキャストのデータの送信スケジュールを保持するスケジュール保持手段と、隣接する複数のセルの信号の複数の受信レベルを測定して複数の受信レベル測定値を生成する受信レベル測定手段と、前記複数の受信レベル測定値を比較して前記受信レベル測定値が高い前記セルに切り替える時において前記送信スケジュールに基づいて前記データが配信されていない時間に前記セルを切り替えるように制御するセル切り替え制御手段と、を具備する構成を採る。
【００１７】
本発明の第２のものは、放送又はマルチキャストのデータを受信することができる移動通信端末装置であって、前記放送又はマルチキャストのデータの送信スケジュールを保持するスケジュール保持手段と、隣接する複数のセルの信号の複数の受信レベルを測定して複数の受信レベル測定値を生成する受信レベル測定手段と、前記送信スケジュールに基づいて複数の前記データの優先度を判断してデータ優先度判断結果を生成するデータ優先度判断手段と、前記複数の受信レベル測定値を比較して前記受信レベル測定値が高い前記セルに切り替える時において前記送信スケジュール及び前記データ優先度判断結果に基づいて前記優先度が低い前記データが配信されている時間に前記セルを切り替えるように制御するセル切り替え制御手段と、を具備する構成を採る。
【発明の効果】
【００１８】
本発明の第１のものによれば、放送又はマルチキャストのデータが配信されていない時間にセルを切り替えるため、データの欠落を防止して、放送又はマルチキャストのデータを確実に受信することができる。
【００１９】
また、本発明の第２のものによれば、放送又はマルチキャストのデータのうちの優先度が低いデータが配信されている時間にセルを切り替えるため、優先度の高いデータの欠如を防止することができるから、放送又はマルチキャストのデータのうちの必要であるデータを優先的に取得することができる。
【発明を実施するための最良の形態】
【００２０】
以下、本発明の実施の形態について、図面を参照して詳細に説明する。
【００２１】
（実施の形態１）
図１は、本発明の実施の形態１に係る移動通信端末装置を具備する移動体通信システムの構成を示すブロック図である。
【００２２】
図１に示すように、本発明の実施の形態１に係る移動体通信システムは、移動通信端末装置１００及び基地局１２０を具備している。移動通信端末装置１００は、基地局１２０に対して無線でデータの送受信を行う。基地局１２０は、ＭＢＭＳのデータ（マルチキャストのデータ）を所定の送信スケジュールで送信する。
【００２３】
移動通信端末装置１００は、アンテナ１０１、送受切り替え部１０２、受信無線部１０３、受信制御部１０４、受信レベル測定部１０５、通信制御部１０６、セルテーブル１０７、セル切り替え制御装置１０８、送信データ生成部１０９、送信制御部１１０及び送信無線部１１１を具備している。セル切り替え制御装置１０８は、スケジュール保持部１０８１、スケジュール判断部１０８２及びセル切り替え制御部１０８３を具備している。
【００２４】
アンテナ１０１は、基地局１２０からの無線のデータ（信号）を受けて受信信号を生成して送受切り替え部１０２を介して受信無線部１０３に与える、また、アンテナ１０１は、送信無線部１１１からの送信信号を送受切り替え部１０２を介して受けて無線の送信信号を生成して送信する。送受切り替え部１０２は、送信信号と受信信号との切り替えを行う。
【００２５】
受信無線部１０３は、アンテナ１０１からの受信信号を送受切り替え部１０２を介して受けて受信信号に無線処理を行う。受信制御部１０４は、受信信号を制御する。受信レベル測定部１０５は、受信信号のレベルを測定する。セルテーブル１０７は、ＭＢＭＳ情報１０７１を保持する。
【００２６】
通信制御部１０６は、受信制御部１０４及び送信制御部１１０を制御してデータの送受信の制御をする。送信データ生成部１０９は、送信データを生成して送信制御部１１０に与える。送信制御部１１０は、送信データ生成部１０９からの送信データを送信無線部１１１に与える。送信無線部１１１は、送信制御部１１０からの送信データに無線処理を行って送信信号を生成して送受切り替え部１０２を介してアンテナ１０１に与える。アンテナ１０１は、送信無線部１１１からのデータを送受切り替え部１０２を介して受けて無線の送信信号を生成して基地局１２０に送信する。
【００２７】
スケジュール保持部１０８１は、セルテーブル１０７のＭＢＭＳ情報１０７１の送信スケジュールを保持している。スケジュール判断部１０８２は、スケジュール保持部１０８１により保持されている送信スケジュールに基づいてデータの受信状況を判断して受信状況判断結果を生成する。セル切り替え制御部１０８３は、複数のセルからの信号の受信レベル、セルテーブル１０７のＭＢＭＳ情報１０７１及びスケジュール判断部１０８２からの受信状況判断結果に基づいてセルの切替を制御する。
【００２８】
次に、本発明の実施の形態１に係る移動通信端末装置１００のセルの切り替えの動作について、図２を参照して説明する。図２は、本発明の実施の形態１に係る移動通信端末装置１００のセルの切り替えの動作を説明するためのフロー図である。
【００２９】
ステップＳ１０１において、セル切り替え制御部１０８は、複数のセルからの信号の受信レベル、セルテーブル１０７のＭＢＭＳ情報１０７１に基づいて、セルの切り替えを行なうか否かを判断する。
【００３０】
ステップＳ１０１においてセルの切替である時には、スケジュール判断部１０８２は、スケジュール保持部１０８１により保持されている送信スケジュールに基づいてデータの受信状況を判断して受信状況判断結果を生成する（ステップＳ１０２）。
【００３１】
次に、セル切り替え制御部１０８３は、前記受信状況判断結果に基づいてセル切り替え時間を変更するか否かを判断する（ステップＳ１０３）。
【００３２】
セル切り替え制御部１０８３は、ステップＳ１０３においてセル切り替え時間を変更すると判断した時に、セル切り替え時間を変更し（ステップＳ１０４）、セル切り替えを行う（ステップＳ１０６）。また、セル切り替え制御部１０８３は、セル切り替え時間を変更しないと判断した時に、セル切り替え時間を変更しないで（ステップＳ１０５）、セル切り替えを行う（ステップＳ１０６）。
【００３３】
次に、本発明の実施の形態１に係る移動通信端末装置１００の動作について、図３、図４及び図５を参照して具体的に説明する。
【００３４】
図３は、本発明の実施の形態１に係る移動通信端末装置１００におけるデータＡの送信スケジュールの１例を示す図である。図３に示すように、区間Ｔ１、Ｔ３、Ｔ５ではＭＢＭＳのデータＡが配信され、かつ、区間Ｔ２、Ｔ４ではＭＢＭＳのデータが配信されていないとする。このデータの送信スケジュールは、予めスケジュール保持部１０８１により保持されている。
【００３５】
図４は、本発明の実施の形態１に係る移動通信端末装置１００がセルＣからセルＤに移動していることを示す図である。図５は、図４に示す本発明の実施の形態１に係る移動通信端末装置１００が測定しているセルＣとセルＤの信号の受信レベルを示す図である。
【００３６】
ここで、移動通信端末装置１００は、図３の時間ｔ１でセルＣからセルＤにセル切り替えを行うと判断する。スケジュール判断部１０８２がスケジュール保持部１０８１の送信スケジュールを判断すると、現在時間ｔ１ではＭＢＭＳのデータＡを受信中であり、かつ、データＡが配信されない区間がすぐ後にあることを判断して受信状況判断結果を生成する。セル切り替え制御部１０８３は、ＭＢＭＳのデータＡが配信されないまでの時間が所定時間より短い時には、配信されていない区間Ｔ２でセル切り替えを行なうことを判断する。すなわち、セル切り替え制御部１０８３は、図３の時間ｔ２でセルの切り替わりを行なう。ここで、前記所定時間とは、予め定められているものとする。
【００３７】
なお、セル切り替え制御部１０８３は、受信レベル、受信データ及びセルテーブル１０７のＭＢＭＳ情報１０７１を用いて、セルの切り替えを制御するが、これまでのセルの受信レベルから今後の受信レベルの動きを予測し、セル切り替えを決定してもよい。
【００３８】
ここで、受信レベルの動きを予測してセル切り替えを制御する例を、図４、図５及び図６を参照して説明する。
【００３９】
図６は、本発明の実施の形態１に係る移動通信端末装置１００におけるデータＡの送信スケジュールの他の例を示す図である。図６に示すように、区間Ｔ２ではＭＢＭＳのデータＡが配信され、かつ、区間Ｔ１、Ｔ３ではＭＢＭＳのデータが配信されていないとする。
【００４０】
ここで、セル切り替え制御部１０８３は、図６の時間ｔ０で、現時点ではセルＣからセルＤにセル切り替えを行なう段階ではないが、これまでの２つのセルＣ、Ｄの信号の受信レベルを判断し、図５の時間ｔ１、ｔ２のような２つのセルＣ、Ｄの受信レベルの推移を予測し（今後はセルＣよりもセルＤの方が受信レベルが高くなると予測する）、セルの切り替えを実行する（ステップＳ１０１）。ここで、セル切り替え制御部１０８３は、スケジュール判断部１０８２の受信状況判断結果により、切り替えを行いたい時刻ｔ１ではデータＡが配信されているため、現時点の時刻ｔ０でセル切り替えを行うことを判断する。
【００４１】
このように、本発明の実施の形態１によれば、ＭＢＭＳのデータが配信されていない区間にセル切り替えを行うことが可能となるため、ＭＢＭＳのデータの欠落を防ぐことができる。
【００４２】
図３、図４及び図５を参照して説明した例においては、時間ｔ１ではなく、切り替え時間を遅らせた時間ｔ２でセルの切り替わりが行なわれたため、ＭＢＭＳのデータの欠落を防止することができる。
【００４３】
また、図４、図５及び図６を参照して説明した例においては、時間ｔ１ではなく、切り替え時間を早めた時間ｔ０でセルの切り替わりが行われたため、ＭＢＭＳのデータの欠落を防止することができる。
【００４４】
（実施の形態２）
次に、本発明の実施の形態２について、図面を参照して説明する。図７は、本発明の実施の形態２に係る移動通信端末装置を具備する移動体通信システムの構成を示すブロック図である。本発明の実施の形態２においては、本発明の実施の形態１と同じ構成要素には同じ符合が付されて、その説明が省略される。
【００４５】
図７に示すように、本発明の実施の形態２に係る移動体通信システムは、移動通信端末装置７００及び基地局１２０を具備している。移動通信端末装置７００は、基地局１２０に対して無線でデータの送受信を行う。基地局１２０は、ＭＢＭＳのデータ（マルチキャストのデータ）を所定の送信スケジュールで送信する。
【００４６】
本発明の実施の形態２に係る移動通信端末装置７００は、本発明の実施の形態１に係る移動通信端末装置１００において、セル切り替え制御部１０８３の代わりにセル切り替え制御部７０１１を具備し、かつ、セル切り替え制御装置７０１がさらにデータ優先度判断部７０１２を具備している。すなわち、セル切り替え制御装置７０１は、スケジュール保持部１０８１、スケジュール判断部１０８２、セル切り替え制御部７０１１及びデータ優先度判断部７０１２を具備している。
【００４７】
データ優先度判断部７０１２は、セルテーブル１０７のＭＢＭＳ情報１０７１に基づいてデータの優先度を判断して優先度判断結果を生成する。セル切り替え制御部７０１１は、複数のセルからの信号の受信レベル、セルテーブル１０７のＭＢＭＳ情報１０７１、スケジュール判断部１０８２からの受信状況判断結果及びデータ優先度判断部７０１２の優先度判断結果に基づいてセルの切替を制御する。
【００４８】
次に、本発明の実施の形態２に係る移動通信端末装置７００のセルの切り替えの動作について、図８を参照して説明する。図８は、本発明の実施の形態２に係る移動通信端末装置７００のセルの切り替えの動作を説明するためのフロー図である。
【００４９】
ステップＳ２０１において、セル切り替え制御部７０１１は、複数のセルの信号の受信レベル、及び、セルテーブル１０７のＭＢＭＳ情報１０７１に基づいて、セルの切り替えを行なうか否かを判断する。
【００５０】
ステップＳ２０１においてセルの切替である時には、スケジュール判断部１０８２は、スケジュール保持部１０８１により保持されている送信スケジュールに基づいてデータの受信状況を判断して受信状況判断結果を生成する（ステップＳ２０２）。
【００５１】
次に、データ優先度判断部７０１２は、優先度を判断する（ステップＳ２０３）。次に、スケジュール判断部１０８２が生成する受信状況判断結果と、データ優先度判断部７０１２が生成する優先度判断結果より、セル切り替え時間を変更するか否かを判断する（ステップＳ２０４）。
【００５２】
セル切り替え制御部７０１１は、ステップＳ２０４においてセル切り替え時間を変更すると判断した時に、セル切り替え時間を変更し（ステップＳ２０５）、セル切り替えを行う（ステップＳ２０７）。また、セル切り替え制御部７０１１は、セル切り替え時間を変更しないと判断した時に、セル切り替え時間の変更しないで（ステップＳ２０６）、セル切り替えを行う（ステップＳ２０７）。
【００５３】
次に、本発明の実施の形態２に係る移動通信端末装置７００の動作について、図４、図５、図７及び図９を参照して具体的に説明する。
【００５４】
図９は、本発明の実施の形態２に係る移動通信端末装置７００におけるデータＡ、Ｂの送信スケジュールの１例を示す図である。
【００５５】
図９に示すように、区間Ｔ１、Ｔ３、Ｔ５ではデータＡが配信され、かつ、区間Ｔ２、Ｔ４ではデータＢが配信されているとする。このデータの送信スケジュールは、予めスケジュール保持部１０８１により保持されている。また、この時のデータ優先度は、データＢよりもデータＡの方が高いとする。
【００５６】
ここで、セル切り替え制御部７０１１は、図９の時間ｔ１でセルＣからセルＤにセル切り替えを行なうと判断する。スケジュール判断部１０８２がスケジュールを判断し、現在、時間ｔ１ではＭＢＭＳのデータＡの受信中であり、データＢがデータＡの後に配信されることを判断する。
【００５７】
また、データ優先度判断部７０１２は、データＡとデータＢではデータＡの方が優先度が高いことを判断する。ここで、セル切り替え制御部７０１１は、優先度の低いデータＢのデータ開始時間が所定時間より短い時には、データＢの配信区間Ｔ２でセル切り替えを行なうことを判断する。すなわち、セル切り替え制御部７０１１は、図９の時間ｔ２でセルの切り替えを行なう。ここで、前記所定時間とは予め定められているものとする。
【００５８】
なお、セル切り替え制御部７０１１は、受信レベル、受信データ及びセルテーブル１０７のＭＢＭＳ情報１０７１を用いて、セルの切り替えを制御するが、これまでのセルの受信レベルから今後の受信レベルの動きを予測し、セル切り替えを決定してもよい。
【００５９】
このように、本発明の実施の形態２によれば、優先度の低いデータの配信時に優先的にセル切り替えを行うことが可能となるため、優先度の高いデータの欠落を防止することができる。
【００６０】
図９を参照して説明した例においては、時間ｔ１ではなく、切り替え時間を変更し時間ｔ２でセルの切り替わりが行なわれたため、優先度の高いデータＡのデータ欠落を防止することができる。
【００６１】
（実施の形態３）
次に、本発明の実施の形態３について、図面を参照して説明する。図１０は、本発明の実施の形態３に係る移動通信端末装置を具備する移動体通信システムの構成を示すブロック図である。本発明の実施の形態３においては、本発明の実施の形態２と同じ構成要素には同じ符合が付されて、その説明が省略される。
【００６２】
図１０に示すように、本発明の実施の形態３に係る移動体通信システムは、移動通信端末装置１０００及び基地局１２０を具備している。移動通信端末装置１０００は、基地局１２０に対して無線でデータの送受信を行う。基地局１２０は、ＭＢＭＳのデータ（マルチキャストのデータ）を所定の送信スケジュールで送信する。
【００６３】
本発明の実施の形態３に係る移動通信端末装置１０００は、本発明の実施の形態２に係る移動通信端末装置７００において、セル切り替え制御部７０１１の代わりにセル切り替え制御部１００１１を具備し、かつ、セル切り替え制御装置１００１がさらに閾値制御部１００１２を具備している。すなわち、セル切り替え制御装置１００１は、スケジュール保持部１０８１、スケジュール判断部１０８２、データ優先度判断部７０１２、セル切り替え制御部１００１１及び閾値制御部１００１２を具備している。
【００６４】
閾値制御部１００１２は、データの優先度に応じて閾値を制御（変更）するものである。セル切り替え制御部１００１１は、複数のセルからの信号の受信レベル、セルテーブル１０７のＭＢＭＳ情報１０７１、スケジュール判断部１０８２からの受信状況判断結果、データ優先度判断部７０１２の判断結果に応じた閾値制御部１００１２の閾値に基づいてセルの切替を制御する。
【００６５】
次に、本発明の実施の形態３に係る移動通信端末装置１０００のセルの切り替えの動作について、図１１を参照して説明する。図１１は、本発明の実施の形態３に係る移動通信端末装置１０００のセルの切り替えの動作を説明するためのフロー図である。
【００６６】
ステップＳ３０１において、閾値制御部１００１２は、データの優先度に応じて閾値を制御（変更）する。
【００６７】
次に、セル切り替え制御部１００１１は、定期的にセルの切り替えか否かを判断する（ステップＳ３０２）。すなわち、セル切り替え制御部１００１１は、複数のセルからの信号の受信レベルと閾値制御部１００１２の閾値との比較結果、セルテーブル１０７のＭＢＭＳ情報１０７１、及び、スケジュール判断部１０８２からの受信状況判断結果に基づいて、セルの切り替えか否かを判断する。
【００６８】
ステップＳ３０２においてセルの切替である時には、スケジュール判断部１０８２は、セルの切り替えを行う（ステップＳ３０３）。
【００６９】
なお、前記閾値を制御する定期的な時間は、予め定められているものと説明したが、環境によって変更可能であってもよい。また、閾値制御部１００１２は、ＭＢＭＳデータの切り替え時にデータの優先度に応じて閾値を制御（変更）するように構成してもよい。
【００７０】
次に、本発明の実施の形態３に係る移動通信端末装置１０００の動作について、図１０及び図１２を参照して具体的に説明する。
【００７１】
図１２は、本発明の実施の形態３に係る移動通信端末装置１０００におけるデータＡ、Ｂの送信スケジュールの１例とセルＣの受信レベルの１例を示す図である。図１２においてライン１がセルＣの受信レベルを示している。
【００７２】
ここで、閾値制御部１００１２が、ＭＢＭＳのデータを受ける場合に行なう閾値の制御に関する例を説明する。
【００７３】
周辺のセルの信号の受信レベルが、現在通信を行なっているセルの信号の受信レベルよりも大きい”あるレベル”に達した場合に、セル切り替えが行なわれるとする。この場合の”あるレベル”を閾値とする。
【００７４】
図１２のライン２は、ＭＢＭＳのデータの受信中でない場合の閾値である。ここでＭＢＭＳのデータの受信中の場合を考えると、区間Ｔ１では優先度の高いデータＡの区間であるため、ＭＢＭＳのデータの受信中でない場合の閾値ライン２と比較してより大きい閾値を設けるために閾値をライン３まであげる。
【００７５】
また、区間Ｔ２では、優先度の低いデータＢの区間であるため、ＭＢＭＳのデータの受信中でない場合の閾値ライン２と比較してより小さい閾値を設けるために閾値をライン４まで下げる。
【００７６】
図１３は、本発明の実施の形態３に係る移動通信端末装置１０００におけるデータＡ、Ｂの送信スケジュールの１例とセルＣ、Ｄの受信レベルの１例を示す図である。また、図１３は、図１２においてセルＤの信号の受信レベルを追加した図でもある。これを用いて閾値とセル切り替えの関係を説明する。ライン２がセルＤの受信レベルである。ここでは、セル切り替え判断は定期的に行なうものとする。
【００７７】
セル切り替え制御部１００１１は、ＭＢＭＳのデータの受信中の時間ｔ１でセル切り替えの判断を行う場合、セルＣの閾値（１）とセルＤの受信レベル（２）の大きさを判断して、セルＤにセル切り替えは行なわないと判断する。セルＣの閾値（３）は、現在優先度の高いデータＡが配信されている区間であるため、閾値が（１）まであがっている。
【００７８】
ここで、もしＭＢＭＳのデータの受信中でない場合には、セル切り替え制御部１００１１は、閾値（３）とセルＤの受信レベル（２）の大きさを判断して、セルＤに切り替わる。
【００７９】
セル切り替え制御部１００１１は、時間ｔ２でセル切り替えの判断が行う場合、セルＣの閾値（４）とセルＤの受信レベル（２）の大きさを判断して、セルＤにセル切り替えを行なう。セルＣの閾値（３）は、現在優先度の低いデータＢが配信されている区間であるため、閾値が（４）まで下がっている。
【００８０】
なお、閾値制御部１００１２は、データＡとデータＢの優先度の比較ではなく、データＡ及びデータＢの優先度と所定の優先度との比較を行なって優先度比較結果を生成し、この優先度比較結果に基づいて閾値を制御するように構成してもよい。また、閾値制御部１００１２は、ＭＢＭＳのデータが配信されていない区間の閾値を変更するように構成してもよい。
【００８１】
このように、本発明の実施の形態３によれば、優先度の高いデータの配信時に閾値を大きくし、かつ、優先度の低いデータの配信時に閾値を小さくすることにより、セルが切り替わるタイミングを変更させることが可能となるため、優先度の高いデータの欠落を防止することができる。
【００８２】
図１３を参照して説明した例においては、優先度の高いデータＡの区間であるＴ１中のｔ１でセル切り替えが行なわれず、優先度の低いデータＢの区間であるＴ２中のｔ２でセル切り替えがおこなわれたことにより、優先度の高いデータＡの欠落を防止することができる。
【００８３】
（実施の形態４）
次に、本発明の実施の形態４について、図面を参照して説明する。図１４は、本発明の実施の形態４に係る移動通信端末装置を具備する移動体通信システムの構成を示すブロック図である。本発明の実施の形態４においては、本発明の実施の形態２と同じ構成要素には同じ符合が付されて、その説明が省略される。
【００８４】
図１４に示すように、本発明の実施の形態４に係る移動体通信システムは、移動通信端末装置１４００及び基地局１２０を具備している。移動通信端末装置１４００は、基地局１２０に対して無線でデータの送受信を行う。基地局１２０は、ＭＢＭＳのデータ（マルチキャストのデータ）を所定の送信スケジュールで送信する。
【００８５】
本発明の実施の形態４に係る移動通信端末装置１４００は、本発明の実施の形態２に係る移動通信端末装置７００において、セル切り替え制御部７０１１の代わりにセル切り替え制御部１４０１１を具備し、かつ、さらにユーザモード設定部１４０１２を具備している。
【００８６】
ユーザモード設定部１４０１２は、ユーザが受信優先モード又は接続優先モードを選択して入力するためのものである。ここで、受信優先モードとは、ＭＢＭＳのデータが切れないようにセルの切り替えるタイミングを変更するモードである。また、接続優先モードとは、ＭＢＭＳのデータが配信されている場合でもセル切り替えタイミングを変更しない通常のセル切り替えモードである。
【００８７】
次に、本発明の実施の形態４に係る移動通信端末装置１４００のセルの切り替えの動作について、図１５を参照して説明する。図１５は、本発明の実施の形態４に係る移動通信端末装置１４００のセルの切り替えの動作を説明するためのフロー図である。
【００８８】
まず、ステップＳ４０１において、ユーザは、受信優先モード又は接続優先モードを選択してユーザモード設定部１４０１２に設定する。次に、セル切り替え制御部１４０１１は、複数のセルの信号の受信レベル、セルテーブル１０７のＭＢＭＳ情報１０７１に基づいて、セルの切り替えを行なうか否かを判断する（ステップＳ４０２）。
【００８９】
ステップＳ４０２においてセルの切替である時には、スケジュール判断部１０８２は、スケジュール保持部１０８１により保持されている送信スケジュールに基づいてデータの受信状況を判断して受信状況判断結果を生成する（ステップＳ４０３）。
【００９０】
次に、セル切り替え制御部１４０１１は、受信優先モードであるか否かを判断する（ステップＳ４０４）。ステップＳ４０４において受信優先モードでない時には、セル切り替え制御部１４０１１は、セル切り替えを行う（ステップＳ４０８）。
【００９１】
ステップＳ４０４において受信優先モードである時には、セル切り替え制御部１４０１１は、スケジュール判断部１０８２が生成する受信状況判断結果と、データ優先度判断部７０１２が生成する優先度判断結果とより、セル切り替え時間を変更するか否かを判断する（ステップＳ４０５）。
【００９２】
セル切り替え制御部１４０１１は、ステップＳ４０５においてセル切り替え時間を変更すると判断した時に、セル切り替え時間を変更し（ステップＳ４０６）、セル切り替えを行う（ステップＳ４０８）。また、セル切り替え制御部１４０１１は、セル切り替え時間を変更しないと判断した時に、セル切り替え時間の変更しないで（ステップＳ４０７）、セル切り替えを行う（ステップＳ４０８）。
【００９３】
なお、本発明の実施の形態４は、本発明の実施の形態１に適用することもできる。
【００９４】
このように、本発明の実施の形態４によれば、ＭＢＭＳのデータが切れないようにセル切り替えを制限するか、又は、通常通りＭＢＭＳのデータの配信中でもセル切り替えを行うかをユーザが選択して設定することが可能となる。
【００９５】
（実施の形態５）
次に、本発明の実施の形態５について、図面を参照して説明する。図１６は、本発明の実施の形態５に係る移動通信端末装置を具備する移動体通信システムの構成を示すブロック図である。本発明の実施の形態５においては、本発明の実施の形態２と同じ構成要素には同じ符合が付されて、その説明が省略される。
【００９６】
図１６に示すように、本発明の実施の形態５に係る移動体通信システムは、移動通信端末装置１６００及び基地局１２０を具備している。移動通信端末装置１６００は、基地局１２０に対して無線でデータの送受信を行う。基地局１２０は、ＭＢＭＳのデータ（マルチキャストのデータ）を所定の送信スケジュールで送信する。
【００９７】
本発明の実施の形態５に係る移動通信端末装置１６００は、本発明の実施の形態１に係る移動通信端末装置１００において、さらに電力制御信号生成部１６０１及び電力制御信号報知部１６０２を具備している。
【００９８】
電力制御信号生成部１６０１は、セル切り替え制御装置１０８がセルの切り替えを行う時に送信データの送信電力を大きくするための指示をする電力制御信号を生成して所定時間だけ電力制御信号報知部１６０２に与える。電力制御信号報知部１６０２は、電力制御信号生成部１６０１から電力制御信号を受けている時に送信制御部１１０、送信無線部１１１、送受切り替え部１０２及びアンテナ１０１を介して基地局１２０に電力制御信号を報知する。
【００９９】
基地局１２０は、電力制御信号報知部１６０２からの電力制御信号を受けている所定時間だけＭＢＭＳのデータの送信電力を大きくする。
【０１００】
次に、本発明の実施の形態５に係る移動通信端末装置１６００のセルの切り替えの動作について、図１７を参照して説明する。図１７は、本発明の実施の形態５に係る移動通信端末装置１６００のセルの切り替えの動作を説明するためのフロー図である。
【０１０１】
ステップＳ５０１において、セル切り替え制御部１０８は、複数のセルからの信号の受信レベル、セルテーブル１０７のＭＢＭＳ情報１０７１に基づいて、セルの切り替えを行なうか否かを判断する。
【０１０２】
ステップＳ５０１においてセルの切替である時には、スケジュール判断部１０８２は、スケジュール保持部１０８１により保持されているスケジュールに基づいてデータの受信状況を判断して受信状況判断結果を生成する（ステップＳ５０２）。
【０１０３】
次に、セル切り替え制御部１０８３は、前記受信状況判断結果に基づいてセル切り替え時間を変更するか否かを判断する（ステップＳ５０３）。
【０１０４】
セル切り替え制御部１０８３がステップＳ５０３においてセル切り替え時間を変更すると判断した時に、電力制御信号生成部１６０１は、セル切り替え制御装置１０８がセルの切り替えを行う時に電力制御信号を生成して（ステップＳ５０４）所定時間だけ電力制御信号報知部１６０２に与える。電力制御信号報知部１６０２は、電力制御信号生成部１６０１から電力制御信号を受けている時に送信制御部１１０、送信無線部１１１、送受切り替え部１０２及びアンテナ１０１を介して基地局１２０に電力制御信号を報知する。この場合に、基地局１２０は、電力制御信号報知部１６０２からの電力制御信号を受けている所定時間だけＭＢＭＳのデータの送信電力を大きくする。
【０１０５】
次に、セル切り替え制御部１０８３は、セル切り替え時間を変更し（ステップＳ５０５）、セル切り替えを行う（ステップＳ５０７）。また、セル切り替え制御部１０８３は、セル切り替え時間を変更しないと判断した時に、セル切り替え時間を変更しないで（ステップＳ５０６）、セル切り替えを行う（ステップＳ５０７）。
【０１０６】
次に、本発明の実施の形態５に係る移動通信端末装置１６００の動作について、図１６及び図１８を参照して具体的に説明する。図１８は、本発明の実施の形態５に係る移動通信端末装置１６００が測定しているセルＣとセルＤの信号の受信レベルを示す図である。
【０１０７】
図１８に示すように、セル切り替え制御部１０８３が切り替え時間を変更すると判断し、時間ｔ１から時間ｔ２にセル切り替わり時間が変更になる場合に、電力制御信号生成部１６０１が電力制御信号を生成して電力制御信号報知部１６０２が基地局１２０に報知するため、基地局１２０がＭＢＭＳのデータの送信電力を大きくするから、ＭＢＭＳのデータの受信レベルが（１）のように増加するので、セルＣから送信されているＭＢＭＳのデータを時間ｔ２まで切断することなく受信することできる。
【０１０８】
なお、本発明の実施の形態５に係る移動通信端末装置１６００においては、セル切り替え制御部１０８３が優先度が高いデータのみ、データの受信電力を大きくするように構成してもよい。
【０１０９】
このように、本発明の実施の形態５によれば、セルの切り替えを行う時に一時的にＭＢＭＳのデータの受信電力を大きくすることができるため、データの欠如を防止することができる。
【０１１０】
（実施の形態６）
次に、本発明の実施の形態６について、図面を参照して説明する。図１９は、本発明の実施の形態６に係る移動通信端末装置を具備する移動体通信システムの構成を示すブロック図である。本発明の実施の形態６においては、本発明の実施の形態１と同じ構成要素には同じ符合が付されて、その説明が省略される。
【０１１１】
図１９に示すように、本発明の実施の形態６に係る移動体通信システムは、移動通信端末装置１９００及び基地局１２０を具備している。移動通信端末装置１９００は、基地局１２０に対して無線でデータの送受信を行う。
【０１１２】
本発明の実施の形態６に係る基地局１２０は、ＭＢＭＳのデータ（マルチキャストのデータ）を所定の送信スケジュールで送信する。また、基地局１２０は、送信スケジュール変更部１２０１を具備している。送信スケジュール変更部１２０１は、移動通信端末装置１９００から送信スケジュール変更要求信号を受けた時に送信スケジュールを変更するものである。
【０１１３】
本発明の実施の形態６に係る移動通信端末装置１９００は、本発明の実施の形態１に係る移動通信端末装置１００において、さらにスケジュール制御部１９０１を具備している。スケジュール制御部１９０１は、セル切り替え制御部１０８３が送信スケジュールの変更であると判断した時に送信スケジュール変更要求信号を生成する。スケジュール制御部１９０１からの送信スケジュール変更要求信号は、送信無線部１１１、送受切り替え部１０２及びアンテナ１０１を介して基地局１２０の送信スケジュール変更部１２０１に送信される。
【０１１４】
次に、本発明の実施の形態６に係る移動通信端末装置１９００のセルの切り替えの動作について、図２０を参照して説明する。図２０は、本発明の実施の形態６に係る移動通信端末装置１９００のセルの切り替えの動作を説明するためのフロー図である。
【０１１５】
ステップＳ６０１において、セル切り替え制御部１０８は、複数のセルからの信号の受信レベル、セルテーブル１０７のＭＢＭＳ情報１０７１に基づいて、セルの切り替えを行なうか否かを判断する。
【０１１６】
ステップＳ６０１においてセルの切替である時には、スケジュール判断部１０８２は、スケジュール保持部１０８１により保持されている送信スケジュールに基づいてデータの受信状況を判断して受信状況判断結果を生成する（ステップＳ６０２）。
【０１１７】
次に、セル切り替え制御部１０８３は、スケジュールの変更であるか否かを判断する（ステップＳ６０３）。ステップＳ６０３において送信スケジュールの変更でない時には、セル切り替え制御部１０８３は、前記受信状況判断結果に基づいてセル切り替え時間を変更するか否かを判断する（ステップＳ６０５）。
【０１１８】
ステップＳ６０３においてセル切り替え制御部１０８３が送信スケジュールの変更であると判断した時には、スケジュール制御部１９０１は送信スケジュール変更要求信号を生成する（ステップＳ６０４）。この送信スケジュール変更要求信号は、送信無線部１１１、送受切り替え部１０２及びアンテナ１０１を介して基地局１２０の送信スケジュール変更部１２０１に送信される。送信スケジュール変更部１２０１は、送信スケジュール変更要求信号を受けた時に送信スケジュールを変更する。基地局１２０は、変更後の送信スケジュールを移動通信端末装置１９００に送信し、移動通信端末装置１９００のスケジュール保持部１０８１は変更後の送信スケジュールを保持する。すなわち、スケジュール保持部１０８１は、保持している送信スケジュールを変更後の送信スケジュールで更新する。
【０１１９】
セル切り替え制御部１０８３は、ステップＳ６０４の動作の後に前記受信状況判断結果に基づいてセル切り替え時間を変更するか否かを判断する（ステップＳ６０５）。
【０１２０】
セル切り替え制御部１０８３は、ステップＳ６０５においてセル切り替え時間を変更すると判断した時に、セル切り替え時間を変更し（ステップＳ６０６）、セル切り替えを行う（ステップＳ６０８）。また、セル切り替え制御部１０８３は、セル切り替え時間を変更しないと判断した時に、セル切り替え時間を変更しないで（ステップＳ６０７）、セル切り替えを行う（ステップＳ６０８）。
【０１２１】
次に、本発明の実施の形態６に係る移動通信端末装置１９００の動作について、図２１を参照して具体的に説明する。
【０１２２】
図２１（Ａ）は、区間Ｔ１にデータＡが配信されていることを示す図であり、かつ、図２１（Ｂ）は、区間Ｔ２、Ｔ４でデータＡが配信されていることを示す図である。
【０１２３】
図２１（Ａ）の時間ｔ１でセル切り替え要求があると、データＡのスケジュールを判断し、スケジュールを変更するという判断がされた時に、スケジュール変更要求信号が送信され、図２１（Ｂ）のように区間Ｔ３があけられてデータＡが送信される。
【０１２４】
その後に再度スケジュールを判断し、データＡが配信されていない区間Ｔ３の時間ｔ２
でセルを切り替えることを判断する。
【０１２５】
なお、本発明の実施の形態６において、移動通信端末装置１９００は、複数のデータが送信されている場合には、すべてのデータの送信スケジュールを変更するように構成してもよい。
【０１２６】
このように、本発明の実施の形態６によれば、ＭＢＭＳのデータを配信しない区間を設け、その配信しない区間でセル切り替えを行うことにより、データの欠如を防止することができる。
【０１２７】
なお、本発明は、放送データを配信する場合にも適用することができる。
【０１２８】
本発明の第１の態様に係る移動通信端末装置は、放送又はマルチキャストのデータを受信することができる移動通信端末装置であって、前記放送又はマルチキャストのデータの送信スケジュールを保持するスケジュール保持手段と、隣接する複数のセルの信号の複数の受信レベルを測定して複数の受信レベル測定値を生成する受信レベル測定手段と、前記複数の受信レベル測定値を比較して前記受信レベル測定値が高い前記セルに切り替える時において前記送信スケジュールに基づいて前記データが配信されていない時間に前記セルを切り替えるように制御するセル切り替え制御手段と、を具備する構成を採る。
【０１２９】
この構成によれば、放送又はマルチキャストのデータが配信されていない時間にセルを切り替えるため、データの欠落を防止して、放送又はマルチキャストのデータを確実に受信することができる。
【０１３０】
本発明の第２の態様に係る移動通信端末装置は、放送又はマルチキャストのデータを受信することができる移動通信端末装置であって、前記放送又はマルチキャストのデータの送信スケジュールを保持するスケジュール保持手段と、隣接する複数のセルの信号の複数の受信レベルを測定して複数の受信レベル測定値を生成する受信レベル測定手段と、前記送信スケジュールに基づいて複数の前記データの優先度を判断してデータ優先度判断結果を生成するデータ優先度判断手段と、前記複数の受信レベル測定値を比較して前記受信レベル測定値が高い前記セルに切り替える時において前記送信スケジュール及び前記データ優先度判断結果に基づいて前記優先度が低い前記データが配信されている時間に前記セルを切り替えるように制御するセル切り替え制御手段と、を具備する構成を採る。
【０１３１】
この構成によれば、放送又はマルチキャストのデータのうちの優先度が低いデータが配信されている時間にセルを切り替えるため、優先度の高いデータの欠如を防止することができるから、放送又はマルチキャストのデータのうちの必要であるデータを優先的に取得することができる。
【０１３２】
本発明の第３の態様に係る移動通信端末装置は、放送又はマルチキャストのデータを受信することができる移動通信端末装置であって、前記放送又はマルチキャストのデータの送信スケジュールを保持するスケジュール保持手段と、隣接する複数のセルからの信号の複数の受信レベルを測定して複数の受信レベル測定値を生成する受信レベル測定手段と、前記送信スケジュールに基づいて複数の前記データの優先度を判断してデータ優先度判断結果を生成するデータ優先度判断手段と、前記データ優先度判断結果に示される前記優先度が高い場合における閾値を前記優先度が低い場合における閾値より大きいように制御する閾値制御手段と、前記受信レベル測定値と前記閾値とを比較して前記受信レベル測定値が前記閾値より大きい時に前記セルを切り替えるように制御するセル切り替え制御手段と、を具備する構成を採る。
【０１３３】
この構成によれば、優先度の高いデータの配信時に閾値を大きくし、かつ、優先度の低いデータの配信時に閾値を小さくするため、優先度の低いデータの配信時に優先的にセル切り替えを行うことが可能となるから、優先度の高い情報のデータの欠落を防止することが可能となるので、必要な情報を取得することができる。
【０１３４】
本発明の第４の態様に係る移動通信端末装置は、本発明の第１の態様又は第２の態様において、前記データが切れないようにセルを切り替えるタイミングを変更する受信優先モード、又は、前記データが配信されている時でもセルを切り替えるタイミングを変更しない接続優先モードを設定するためのユーザ設定手段を具備する構成を採る。
【０１３５】
この構成によれば、本発明の第１の態様又は第２の態様の効果に加えて、ユーザは、データが切れないようにセルを切り替えるタイミングを変更する受信優先モード、又は、前記データが配信されている時でもセルを切り替えるタイミングを変更しない接続優先モードを設定することが可能となる。
【０１３６】
本発明の第５の態様に係る移動体通信システムは、放送又はマルチキャストのデータを所定の送信スケジュールで送信する基地局と、前記基地局から送信される前記放送又はマルチキャストのデータを受信することができる移動通信端末装置と、を具備する移動通信システムにおいて、前記移動通信端末装置が、前記放送又はマルチキャストのデータの送信スケジュールを保持するスケジュール保持手段と、隣接する複数のセルの信号の複数の受信レベルを測定して複数の受信レベル測定値を生成する受信レベル測定手段と、前記複数の受信レベル測定値を比較して前記受信レベル測定値が高い前記セルに切り替える時において前記送信スケジュールに基づいて前記データが配信されていない時間に前記セルを切り替えるように制御するセル切り替え制御手段と、を具備し、前記セル切り替え制御手段が、セルの切り替えを行う時に送信データの送信電力を大きくするための指示をする電力制御信号を生成して前記基地局に報知する電力制御信号報知手段を具備し、前記基地局が、前記電力制御信号を受けた時に所定の時間だけ前記送信データの前記送信電力を大きくする手段を具備する構成を採る。
【０１３７】
この構成によれば、放送又はマルチキャストのデータが配信されていない時間にセルを切り替えるため、データの欠落を防止して、放送又はマルチキャストのデータを確実に受信することができ、また、セルの切り替えを行う時に一時的にデータの送信電力を上げることができるため、データの欠落を防止することができる。
【０１３８】
本発明の第６の態様に係る移動体通信システムは、放送又はマルチキャストのデータを所定の送信スケジュールで送信する基地局と、前記基地局から送信される前記放送又はマルチキャストのデータを受信することができる移動通信端末装置と、を具備する通信システムにおいて、前記移動通信端末装置が、前記データの前記送信スケジュールを変更するための送信スケジュール変更要求信号を生成して前記基地局に送信する送信スケジュール変更要求手段を具備し、前記基地局が、前記送信スケジュール変更要求信号を受けた時に前記送信スケジュールを変更する送信スケジュール変更手段を具備し、前記移動通信端末装置が、前記放送又はマルチキャストのデータの前記送信スケジュールを保持するスケジュール保持手段と、隣接する複数のセルからの信号の複数の受信レベルを測定して複数の受信レベル測定値を生成する受信レベル測定手段と、前記複数の受信レベル測定値を比較して前記受信レベル測定値が高い前記セルに切り替える時において前記送信スケジュールに基づいて前記データが配信されていない時間に前記セルを切り替えるように制御するセル切り替え制御手段と、を具備する構成を採る。
【０１３９】
この構成によれば、放送又はマルチキャストのデータの送信スケジュールを変更することができるため、放送又はマルチキャストのデータが配信されていない時間にセルを切り替えるため、データの欠落を防止して、放送又はマルチキャストのデータを確実に受信することができる。
【０１４０】
本発明の第７の態様に係る移動体通信方法は、放送又はマルチキャストのデータを受信することができる移動通信端末装置を具備する移動体通信システムにおける移動体通信方法であって、前記放送又はマルチキャストのデータの送信スケジュールを保持するスケジュール保持ステップと、隣接する複数のセルの信号の複数の受信レベルを測定して複数の受信レベル測定値を生成する受信レベル測定ステップと、前記複数の受信レベル測定値を比較して前記受信レベル測定値が高い前記セルに切り替える時において前記送信スケジュールに基づいて前記データが配信されていない時間に前記セルを切り替えるように制御するセル切り替え制御ステップと、を具備するようにした。
【０１４１】
この方法によれば、放送又はマルチキャストのデータが配信されていない時間にセルを切り替えるため、データの欠落を防止して、放送又はマルチキャストのデータを確実に受信することができる。
【０１４２】
本発明の第８の態様に係る移動体通信方法は、放送又はマルチキャストのデータを所定の送信スケジュールで送信する基地局と、前記基地局から送信される前記放送又はマルチキャストのデータを受信することができる移動通信端末装置と、を具備する移動通信システムにおける移動体通信方法であって、前記移動通信端末装置が前記放送又はマルチキャストのデータの送信スケジュールを保持するスケジュール保持ステップと、前記移動通信端末装置が隣接する複数のセルの信号の複数の受信レベルを測定して複数の受信レベル測定値を生成する受信レベル測定ステップと、前記複数の受信レベル測定値を比較して前記受信レベル測定値が高い前記セルに切り替える時において前記送信スケジュールに基づいて前記データが配信されていない時間に前記移動通信端末装置が前記セルを切り替えるように制御するセル切り替え制御ステップと、前記セル切り替え制御手段がセルの切り替えを行う時に送信データの送信電力を大きくするための指示をする電力制御信号を生成して前記基地局に報知する電力制御信号報知ステップと、前記基地局が前記電力制御信号を受けた時に所定の時間だけ前記送信データの前記送信電力を大きくするステップと、を具備するようにした。
【０１４３】
この方法によれば、放送又はマルチキャストのデータが配信されていない時間にセルを切り替えるため、データの欠落を防止して、放送又はマルチキャストのデータを確実に受信することができ、また、セルの切り替えを行う時に一時的にデータの送信電力を上げることができるため、データの欠落を防止することができる。
【産業上の利用可能性】
【０１４４】
本発明は、放送又はマルチキャストのデータが配信されていない時間にセルを切り替えるため、データの欠落を防止して、放送又はマルチキャストのデータを確実に受信することができる効果を有し、放送又はＭＢＭＳのデータの配信に対応した移動通信端末装置及び移動体通信システムに有用である。
【図面の簡単な説明】
【０１４５】
【図１】本発明の第１の実施の形態における移動通信端末装置を具備する移動体通信システムの構成を示すブロック図
【図２】本発明の実施の形態１に係る移動通信端末装置のセルの切り替えの動作を説明するためのフロー図
【図３】本発明の実施の形態１に係る移動通信端末装置におけるデータＡの送信スケジュールの１例を示す図
【図４】本発明の実施の形態１に係る移動通信端末装置がセルＣからセルＤに移動していることを示す図
【図５】図４に示す本発明の実施の形態１に係る移動通信端末装置が測定しているセルＣとセルＤの信号の受信レベルを示す図
【図６】本発明の実施の形態１に係る移動通信端末装置におけるデータＡの送信スケジュールの他の例を示す図
【図７】本発明の実施の形態２に係る移動通信端末装置を具備する移動体通信システムの構成を示すブロック図
【図８】本発明の実施の形態２に係る移動通信端末装置のセルの切り替えの動作を説明するためのフロー図
【図９】本発明の実施の形態２に係る移動通信端末装置におけるデータＡ、Ｂの送信スケジュールの１例を示す図
【図１０】本発明の実施の形態３に係る移動通信端末装置を具備する移動体通信システムの構成を示すブロック図
【図１１】本発明の実施の形態３に係る移動通信端末装置のセルの切り替えの動作を説明するためのフロー図
【図１２】本発明の実施の形態３に係る移動通信端末装置におけるデータＡ、Ｂの送信スケジュールの１例とセルＣの受信レベルの１例を示す図
【図１３】本発明の実施の形態３に係る移動通信端末装置におけるデータＡ、Ｂの送信スケジュールの１例とセルＣ、Ｄの受信レベルの１例を示す図
【図１４】本発明の実施の形態４に係る移動通信端末装置を具備する移動体通信システムの構成を示すブロック図
【図１５】本発明の実施の形態４に係る移動通信端末装置のセルの切り替えの動作を説明するためのフロー図
【図１６】本発明の実施の形態５に係る移動通信端末装置を具備する移動体通信システムの構成を示すブロック図
【図１７】本発明の実施の形態５に係る移動通信端末装置のセルの切り替えの動作を説明するためのフロー図
【図１８】本発明の実施の形態５に係る移動通信端末装置が測定しているセルＣとセルＤの信号の受信レベルを示す図
【図１９】本発明の実施の形態６に係る移動通信端末装置を具備する移動体通信システムの構成を示すブロック図
【図２０】本発明の実施の形態６に係る移動通信端末装置のセルの切り替えの動作を説明するためのフロー図
【図２１】（Ａ）は、区間Ｔ１にデータＡが配信されていることを示す図であり、（Ｂ）は、区間Ｔ２、Ｔ４でデータＡが配信されていることを示す図
【図２２】従来の移動通信端末装置を具備する移動体通信システムの構成を示すブロック図
【図２３】従来の移動通信端末装置におけるＭＢＭＳデータの受信とセル切り替えの様子を説明するための図
【符号の説明】
【０１４６】
１００、７００、１０００、１４００、１６００、１９００  移動通信端末装置
１２０  基地局
１０１  アンテナ
１０２  送受切り替え部
１０３  受信無線部
１０４  受信制御部
１０５  受信レベル測定部
１０６  通信制御部
１０７  セルテーブル
１０８、７０１、１００１、１４０１  セル切り替え制御装置
１０９  送信データ生成部
１１０  送信制御部
１１１  送信無線部
１０８１  スケジュール保持部
１０８２  スケジュール判断部
１０８３、７０１１、１００１１、１４０１１  セル切り替え制御部
７０１２  データ優先度判断部
１００１２  閾値制御部
１４０１２  ユーザモード設定部
１６０１  電力制御信号生成部
１６０２  電力制御信号報知部
１９０１  スケジュール制御部
【図１】
2007028534.tif 000003
【図２】
2007028534.tif 000004
【図３】
2007028534.tif 000005
【図４】
2007028534.tif 000006
【図５】
2007028534.tif 000007
【図６】
2007028534.tif 000008
【図７】
2007028534.tif 000009
【図８】
2007028534.tif 000010
【図９】
2007028534.tif 000011
【図１０】
2007028534.tif 000012
【図１１】
2007028534.tif 000013
【図１２】
2007028534.tif 000014
【図１３】
2007028534.tif 000015
【図１４】
2007028534.tif 000016
【図１５】
2007028534.tif 000017
【図１６】
2007028534.tif 000018
【図１７】
2007028534.tif 000019
【図１８】
2007028534.tif 000020
【図１９】
2007028534.tif 000021
【図２０】
2007028534.tif 000022
【図２１】
2007028534.tif 000023
【図２２】
2007028534.tif 000024
【図２３】
2007028534.tif 000025